(57)【要約】【課題】商品残数が少なくても、常時元の陳列状態を維持し、見栄え向上とともに、消費者が必ず最前列の商品から順にを手に取れるようにした。【解決手段】前面および上面開口した商品格納用のトレイ３と、該トレイ３上に着脱自在に設けられて、その上面開口を庇状に覆う天板４１が形成されたカバー４と、前記トレイ３の底板３０上に前後方向を向けて横並び状に複数列設けられた押出しベース５と、を具備し、前記押出しベース５上に前後方向に配列される複数の商品を、押出しベース５の後部側に配置したばね体６によって常時前進方向に向けて付勢するとともに、押出しベース５の前部に設けたストッパ板５１によって商品の前進を規制し、前部に位置する商品を前記カバー４の天板４１下方若しくは天板４１前方から取り出し得るようにした。【選択図】      図１
2010063488.tif 000002
【特許請求の範囲】
【請求項１】
前面および上面開口した商品格納用のトレイと、該トレイ上に着脱自在に設けられて、その上面開口を庇状に覆う天板が形成されたカバーと、前記トレイの底板上に前後方向を向けて横並び状に複数列設けられた押出しベースと、を具備し、前記押出しベース上に前後方向に配列される複数の商品を、押出しベースの後部側に配置したばね体によって常時前進方向に向けて付勢するとともに、押出しベースの前部に設けたストッパ板によって商品の前進を規制し、前部に位置する商品を前記カバーの天板下方若しくは天板前方から取り出し得るようにしたことを特徴とする商品陳列装置。
【請求項２】
前記カバー（４）は、前記トレイ（３）の両側に形成された側板（３１）上に離接可能に当接する側板（４０）を前記カバー天板（４１）の両側に垂設するとともに、該天板（４１）の背部には背板（４２）を垂設形成し、カバー背板（４２）と前記トレイの背部に形成されたトレイ背板（３２）の対向壁面には、格納する前記商品の高さに応じて、トレイ（３）に対しカバー（４）を上下複数段に高さ調整可能に係合固定させるための係合部が形成されていることを特徴とする請求項１に記載の商品陳列装置。
【請求項３】
前記トレイに対し前記カバーを上下複数段に高さ調整可能に係合固定させるための前記係合部は、前記カバー背板（４２）の前記対向壁面に上下複数段に突出形成された係合突起（４２ｂ）と、前記トレイ背板（３２）の前記対向壁面の上縁部に形成され、前記係合突起（４２ｂ）が係合嵌置される係合凹溝（３２ｃ）と、該係合凹溝（３２ｃ）の下部におけるトレイ背板（３２）の対向壁面の中段部分に形成され、係合凹溝（３２ｃ）に係合嵌置される前記係合突起（４２ｂ）よりも下方の係合突起（４２ｂ）が係合される上下複数段の取付孔（３２ｂ）とにより形成されていることを特徴とする請求項２に記載の商品陳列装置。
【請求項４】
前記ばね体（６）は、その下部が前記押出しベース（５）内に挿入された状態で前記商品を前進方向に付勢するように板状片が側面視ジグザグ状に連続して形成されており、ばね体（６）の下部両側に設けたガイド部（６ａ）が、押出しベース（５）内の両側に設けたガイドレール部（５０）内に係合して摺動可能に設置されていることを特徴とする請求項１乃至３のいずれかに記載の商品陳列装置。
【請求項５】
前記トレイ（３）の底板（３０）の先端には、取付突条（３０ｂ）が横方向に突出形成されているとともに、前記押出しベース（５）の先端下部には、取付突条（３０ｂ）に着脱可能に嵌合して、押出しベース（５）をトレイ（３）の底板（３０）上に固定する狭持片（５３）が形成されていることを特徴とする請求項１乃至４のいずれかに記載の商品陳列装置。
【請求項６】
前記各押出しベース（５）の間にあって、前記トレイ（３）の底板（３０）上には、仕切板片（７ａ）の前端に挟持片（７ｂ）が形成された間仕切板（７）が設けられ、該間仕切板（７）の挟持片（７ｂ）が、前記トレイ（３）の底板（３０）の先端に横方向に突出形成されている取付突条（３０ｂ）に着脱可能に嵌合して設けられていることを特徴とする請求項１乃至５のいずれかに記載の商品陳列装置。
【請求項７】
前記トレイ上には、前面および上面開口した上部トレイが積層され、該上部トレイ内には、複数の商品を前進可能に積載しかつ横並び状に固定された複数の押出しベースを配置するとともに、上部トレイ上に前記カバーを着脱自在に設けることにより、その上面開口を覆うようにしたことを特徴とする請求項１乃至６のいずれかに記載の商品陳列装置。
【請求項８】
前記トレイは、商品陳列台のトレイ設置部上に設けられ、トレイ設置部の上面に横方向に沿って前後多列に形成された条溝内に、トレイの底部に突設された差込み片が挿入嵌合されたことを特徴とする請求項１乃至７のいずれかに記載の商品陳列装置。
【請求項９】
前記商品陳列台は、その前記トレイ設置部の後部に立ち上げられた背面支持部と、トレイ設置部の前面下部に設けられた前部支持部と、を具備し、前部支持部の背部には、前部支持部の前面に設けられる表示カードを背部から照射する照明具が設けられることを特徴とする請求項８に記載の商品陳列装置。
【発明の詳細な説明】
【技術分野】
【０００１】
本発明は、化粧品、薬品、食品など、主として小分けパッケージ商品として整列販売される小物商品用の商品陳列装置に関し、特に最前列の商品から順に取出し可能とし、かつ取出しても残商品を陳列面に対して整列状態に維持できるようにした構造に係るものである。
【背景技術】
【０００２】
化粧品などの多数の小物商品を陳列販売する時には、その商品を陳列棚内に取出し可能に整列状態に集積して陳列している場合が多く、消費者は、その中から任意の１つを選んで購入できるようになっている。
【０００３】
しかし、棚内の商品残数が少なくなるにつれ、整列状態が乱れ、特に自立性のない縦長の商品や薄形の商品の場合には、倒れ込んだりして乱雑になるおそれが生じ、その都度販売員が新たな商品を補填し、元の整列状態に整理し直さなければならず、手間がかかる原因となる。なお、一般的消費者心理としては、中身が同じ商品であっても、外装が美麗に保たれている方を選びたい、あるいは、他人が一度手を触れたものを避けたいという傾向にある。このため、同一商品を順に並べたとしても、最前列の次に位置する商品が取出されてしまう場合が往々にあり、消費者がこのようなランダムな選択を行うことにより、さらに陳列状態が乱雑となる。
【０００４】
この種の乱雑さを解消するために、例えば下記特許文献１では、陳列棚内を個々の商品別に間仕切ることにより、倒れ込みなどを防止し、ケース内の残数減少に伴う乱雑さを解消したものがある。このようにすることによって、同一商品であっても消費者がどの位置にある商品でも手に取ることができ、また気にくわなければ、元位置に戻せばよいため、乱雑さは解消される。
【特許文献１】特許第３８２８７４９号公報
【発明の開示】
【発明が解決しようとする課題】
【０００５】
しかし、このような構造の陳列棚においても、商品が売れ、残数が減少すると、該当する区画が空となり、いわば櫛の歯が欠けたようになり、見栄えが低下するため、その都度開いた区画に新たな商品を補填しなればならず、前記と同様に手数がかかっていた。
【０００６】
本発明は、以上の課題を解決するものであり、その目的とするところは、商品残数が少なくなっても、常時元の陳列状態が維持され、見栄えを向上できるとともに、消費者が必ず最前列にある商品を手に取ることができるようにした商品陳列装置を提供するものである。
【課題を解決するための手段】
【０００７】
前記目的を達成するための手段を図の実施形態を参照して説明する。
すなわち、本発明の商品陳列装置１は、前面および上面開口した商品格納用のトレイ３と、該トレイ３上に着脱自在に設けられて、その上面開口を庇状に覆う天板４１が形成されたカバー４と、前記トレイ３の底板３０上に前後方向を向けて横並び状に複数列設けられた押出しベース５と、を具備し、前記押出しベース５上に前後方向に配列される複数の商品を、押出しベース５の後部側に配置したばね体６によって常時前進方向に向けて付勢するとともに、押出しベース５の前部に設けたストッパ板５１によって商品の前進を規制し、前部に位置する商品を前記カバー４の天板４１下方若しくは天板４１前方から取り出し得るようにしたことを特徴としている。
【０００８】
上記商品陳列装置１によれば、トレイ３の上面開口はカバー４の天板４１によって覆われており、従って商品陳列面であるトレイ３の開口面に押出しベース５を介して横並び状に配列された商品は、背部のばね体６に押されて、カバー４の天板４１下方若しくは天板４１前方から、最前列のものから順に取出し可能である以外は取出し位置が規制されるため、必然的に最前列にあるものが取り出されることとなる。また、最前列の商品を取出すと、ばね体６のばね圧により、次の商品が押出されて最前列に位置するため、元の陳列状態が維持され、商品の残数減少に伴う補填作業の頻度も少ないものとなる。
【０００９】
本発明において、前記カバー４は、前記トレイ３の両側に形成された側板３１上に離接可能に当接する側板４０を前記カバー天板４１の両側に垂設するとともに、該天板４１の背部には背板４２を垂設形成し、カバー背板４２と前記トレイの背部に形成されたトレイ背板３２の対向壁面には、格納する前記商品の高さに応じて、トレイ３に対しカバー４を上下複数段に高さ調整可能に係合固定させるための係合部が形成されていることを特徴とする。
【００１０】
前記トレイに対し前記カバーを上下複数段に高さ調整可能に係合固定させるための前記係合部は、前記カバー背板４２の前記対向壁面に上下複数段に突出形成された係合突起４２ｂと、前記トレイ背板３２の前記対向壁面の上縁部に形成され、前記係合突起４２ｂが係合嵌置される係合凹溝３２ｃと、該係合凹溝３２ｃの下部におけるトレイ背板３２の対向壁面の中段部分に形成され、係合凹溝３２ｃに係合嵌置される前記係合突起４２ｂよりも下方の係合突起４２ｂが係合される上下複数段の取付孔３２ｂとにより形成されている。
【００１１】
上記の構成によれば、格納する前記商品の高さに応じて、トレイ３に対するカバー４の上下位置を上下複数段に高さ調整可能に係合固定させることができる。従って、格納される商品の高さが変更された場合でも、商品の高さに対するカバー４天板４１の位置を適正に保つことができ、最前部に位置する商品を前記カバー４の天板４１下方若しくは天板４１前方から順次確実に取り出すことができる。
【００１２】
トレイ３に対するカバー４の上下位置を調整させるためには、カバー背板４２の上下複数段の係合突起４２ｂを、トレイ背板３２の上下複数段の取付孔３２ｂに係合固定することにより、カバー４を下方位置に設定することができる。この下方位置から上方位置に調整するためには、カバー４を取り外し、カバー背板４２の上方の係合突起４２ｂをトレイ背板３２の係合凹溝３２ｃに係合嵌置させるとともに、カバー背板４２の下方の係合突起４２ｂを対応するトレイ背板３２の取付孔３２ｂに係合固定させることにより、上方位置に設定固定される。
係合凹溝３２ｃと係合突起４２ｂの数は適宜変更でき、例えば、取付孔３２ｂを上下複数個例えば３個乃至２個とし、係合突起４２ｂを２個乃至１個とすることができる。係合凹溝３２ｃは省略することも可能である。
【００１３】
本発明において、前記ばね体６は、その下部が前記押出しベース５内に挿入された状態で前記商品を前進方向に付勢するように板状片が側面視ジグザグ状に連続して形成されており、ばね体６の下部両側に設けたガイド部６ａが、押出しベース５内の両側に設けたガイドレール部５０内に係合して摺動可能に設置されている。
【００１４】
上記の構成により、ばね体６の下端が押出しベース５内から飛び出したり左右に振れたりすることがなく、ばね体６は、押出しベース５内にある商品を、商品の数にかかわらず常に前後整列状態で前方に均等に押しだすことができる。
【００１５】
本発明において、前記トレイ３の底板３０の先端には、取付突条３０ｂが横方向に突出形成されているとともに、前記押出しベース５の先端下部には、取付突条３０ｂに着脱可能に嵌合して、押出しベース５をトレイ３の底板３０上に固定する狭持片５３が形成されている。
【００１６】
さらに、前記各押出しベース５の間にあって、前記トレイ３の底板３０上には、仕切板片７ａの前端に挟持片７ｂが形成された間仕切板７が設けられ、該間仕切板７の挟持片７ｂが、前記トレイ３の底板３０の先端に横方向に突出形成されている前記取付突条３０ｂに着脱可能に嵌合して設けられている。
【００１７】
上記の構成によれば、商品が載置される各押出しベース５は、その間に間仕切板７が設けられることから、トレイ３の底板３０上に整列して配置される。押出しベース５と間仕切板７は、その各先端に設けられる狭持片５３、７ｂが、トレイ３の底板３０上の取付突条３０ｂに嵌合して設けられており、位置ずれなく整列して配置される。
【００１８】
本発明において、前記トレイ３上には、前面および上面開口した上部トレイ８が積層され、該上部トレイ８内には、複数の商品を前進可能に積載し、かつ横並び状に固定された複数の押出しベース５’を配置するとともに、上部トレイ８上に前記カバー４を着脱自在に設けることにより、その上面開口を覆うようにしてもよい。上部トレイ８内の構造と作用は、下部のトレイ３内の構造及び作用と同等である。
【００１９】
上記の構成により、上下二段にトレイを構成でき、上部トレイ８上にさらにトレイを積層させるこにより、二段以上の複数段にトレイを構成させることも可能であり、トレイの段数に応じて、商品を上下複数段に整列して販売することができる。
【００２０】
本発明において、上記一段又は複数段のトレイは、商品陳列台２のトレイ設置部２０上に設けられ、トレイ設置部２０の上面に横方向に沿って前後多列に形成された条溝２０ａ内に、トレイの底部に突設された差込み片３０ａが挿入嵌合されて設置される。
このような構成により、トレイ設置部２０上の前後任意の位置に安定してトレイを設置させることができる。
【００２１】
また、前記商品陳列台２は、その前記トレイ設置部２０の後部に立ち上げられた背面支持部２１と、トレイ設置部２０の前面下部に設けられた前部支持部２２と、を具備し、前部支持部２２の背部には、前部支持部２２の前面に設けられる表示カードを背部から照射する照明具を設けるようにしてもよい。
これにより、商品の宣伝販売効果が促進される。
【発明の効果】
【００２２】
本発明によれば、トレイの上面開口はカバー天板によって覆われており、従って商品陳列面であるトレイの開口面に横並び状に配列された商品を最前列から順に取出し可能である以外は取出し位置が規制されるため、必然的に最前列にあるものを取出すものとなる。また、最前列の商品を取出すとはね体によるばね圧により、次の商品が押出されて最前列に位置するため、元の陳列状態が維持され、商品の残数減少に伴う補填作業の頻度も少ないものとなる。このように、本発明によれば、商品の陳列整列性と最前列に商品から順番に取り出されることによる販売の効率性が確保される。
【００２３】
請求項２及び３の発明によれば、上記請求項１の作用効果に加え、商品の縦寸法に応じた高さ調整ができ、高さ調整に伴うカバーの固定状態も確実で簡単である。
またカバーの高さが高くなっても、カバーに垂設された側板によって商品の頂部及び側部が覆われているため、側面の隙間から商品を取出すことができず、前記と同様に陳列面の最前列のみからの順次取り出しが可能となる。
【００２４】
請求項４の発明によれば、ばね体の外れがなく、押出ベース内の商品をばね体によって確実に整列させて押しだすことができ、陳列面の最前列のみからの商品の順次取り出しが確実となる。
【００２５】
請求項５及び６の発明によれば、押出ベースの左右の整列状態を維持できるとともに、間仕切板の作用により、左右に隣り合う商品同士の干渉も防止できる。
【００２６】
請求項７の発明によれば、商品を上下多段に整列させて展示でき、商品の販売効果を向上させることができる。
【００２７】
請求項８及び９の発明によれば、トレイが商品陳列台上に設けられ、トレイが商品陳列台のトレイ設置部からずれるということがなく、商品の陳列効果が向上する。
【発明を実施するための最良の形態】
【００２８】
図１〜図６は本発明の第１実施形態を示し、そのうち、図１は、商品陳列装置の全部材を示す分解斜視図である。
【００２９】
図１において、商品陳列装置１を構成する各部材は、アクリルなどの透明樹脂成形体から構成されるものであり、図１に示すように、陳列台２と、陳列台２上に設置固定される前面および上部開口したトレイ３と、トレイ３上に係脱可能に取付けられる前面および下面開口したカバー４とを備えている。
【００３０】
トレイ３の内部には、高さ寸法が低く、薄形幅広の商品Ｗ１（図５，６参照）をトレイ３の前面より後部側に向けて配列するための複数の押出しベース５が整列して設けられている。押出しベース５内にはその幅寸法に応じた商品押出し用のばね体６が予め組付けられている。押出しベース５間には、間仕切板７が固定配置されるようになっている。なお、図では押出しベース５および間仕切板７のそれぞれが一つのみが描かれているが、トレイ３の間口幅寸法に応じて複数個横並びに配列される。
【００３１】
前記陳列台２は、後部側に向けて略１０°の傾斜角で後傾するトレイ設置部２０と、トレイ設置部２０の後部に立ち上げられた背面支持部２１と、トレイ設置部２０の前面下部に一体的に固定され、かつ前面が後傾する両側面開口した前部支持部２２と、トレイ設置部２０の前縁に略Ｌ字形に屈曲されて商品表示カードなどを前部支持部２２との間に差込んで支持するための狭持板２３とを備えている。
【００３２】
前部支持部２２の中央には、開口部２２ａが形成され、前部支持部２２の中空内部に挿入される蛍光管などの照明具によって、支持部２２の面に配置される商品表示カードを開口部２２ａを通じて照射し、商品ロゴなどの背光として活用できるようになっている。また、トレイ設置部２０の表面には、図２（ａ）に拡大して示すように、横方向に沿って多数の凹凸状の条溝２０ａが形成されている。
【００３３】
前記トレイ３は、前記設置部２０上に固定設置される底板３０と、底板３０の両側に立設された側板３１と、底板３０および側板３１の後部に立設され、かつ側板３１の高さよりもやや高い寸法の背板３２とを備えている。
【００３４】
底板３０の後部側下面には、前記条溝２２ａ内に嵌合される固定用の差込み片３０ａが突設されている。また、底板３０の前縁上面には、図２（ｂ）に拡大して示すごとく、前記各取付ベース６および間仕切板７の先端を嵌合固定するための取付突条３０ｂを一体に横設している。また、背板３２の両側は、後部側に向けてＬ字形に曲折され、その間には複数の縦方向補強リブ３２ａが一体に突設され、これらによって背板３２の補強を行っている。補強リブ３２ａ間には、図２（ｃ）にも拡大して示すように、逆凸字形の左右１対の取付孔３２ｂが縦方向に複数個（図では３個）形成されている。
【００３５】
前記カバー４は、全体として庇状に形成され、トレイ３の側板３１上に合致し、かつ奥行寸法がトレイ３の側板３１よりもやや短く形成された側板４０と、側板４０間の上部に庇状に一体化された天板４１と、側板４０および天板４１の後部に一体に垂設され、かつ前記トレイ３の背板３２の内側に差込まれる背板４２を備えている。トレイ背板４２の内側には複数の補強リブ４２ａが縦設されているとともに、背板４２の外側には、図２（ｄ）にも拡大して示すように、凸字形をした係合突起４２ｂが左右および上下方向２箇所に突出形成されている。各係合突起４２ｂは、前記取付孔３２ｂに係合されるもので、凸形の幅広部に嵌合し、その状態で細径部を下部側の細径部に下降させることによって、カバー４をトレイ３上に取付状態に固定するようになっている。
【００３６】
なお、トレイ３にあっては、その背板３２の左右に上下方向沿って取付孔３２ｂが三箇所あることに加え、背板３２の上縁には取付孔３２ｂの細径部に相当する取付凹溝３２ｃが形成されており、したがってカバー４のトレイ３に対する取付高さは商品の高さに応じて、本実施形態では３通りの高さ調整が可能となっている。
【００３７】
次に、押出しベース５およびそのばね体６の詳細形状と商品Ｗ１との取付関係を図３を用いて説明する。図３において、押出しベース５は、商品Ｗ１の幅に応じた幅寸法で、あり溝よりなるガイド溝５０ａを内側に形成したガイドレール５０と、ガイドレール５０の先端に立ち上げ形成された前部ストッパ板５１と、ガイドレール５０の後端に立ち上げ形成された後部ストッパ板５２と、前部ストッパ板５１の下部に前方に下向きコ字形をなして突設された狭持片５３とを備えている。この狭持片５３をトレイ３の底板３０の先端に突設された取付突条３０ｂに嵌合することによって、押出しベース５を底板３０上に固定するようになっている。
【００３８】
ばね体６は、ガイドレール５０の幅寸法に応じた複数のばね性板材の上縁および下縁同士を交互にジグザグ状に接合したものであり、その下縁両側には、図３（ａ）に示すように、前記ガイド溝５０ａ内に移動可能に嵌合する突出片よりなるガイド部６ａが突設されている。ばね体６のセット後は、（ｂ）に示すように、前部ストッパ板５１とばね体６の間に商品Ｗ１を差込んおくことにより、ばね体６は商品Ｗ１を前部側に向けて矢印のごとく前方に押圧付勢しているため、前部側の商品Ｗ１を取出すことにより、ばね体６の押圧力により次の商品Ｗ１が前部ストッパ板３１に突き当てられる。
【００３９】
前記間仕切板７は、図４に示すように、横長衝立状の仕切板片７ａと、仕切板片７ａの前縁下部に一体化された下向きコ字形の狭持片７ｂとからなっており、押出しベース５間に配置した状態で、狭持片７ｂを上記取付突条３０ｂに着脱可能に嵌合することによって、トレイ３の底板３０上に固定され、この仕切板片７ａによって隣合う商品Ｗ１同士の相互干渉を防止する。また、ガイドレール５０の幅寸法に比べて商品Ｗ１の幅が大きすぎる場合であっても、仕切板片７ａが商品Ｗ１の両側を摺動可能に支持するため取出し、および前方への移動もスムーズに行えることになる。
【００４０】
図５、図６は、以上の各部材により組立てられた陳列装置１を示している。各図に示すように、トレイ３上にカバー４を固定した状態では、両者によって囲われた空間内に押出しベース５を介して格納される複数の商品Ｗ１は、最前部の商品のみがその前部開口に横一列に露出し、側面、背面および上面は囲われ、かつカバー４の天板４１の先端部はトレイ３の側板３１の先端部より僅かに後退位置に位置し、最前列の商品Ｗ１一つ分だけ上部が開いているため、最前列の商品Ｗ１のみ買物客が手にとって取出しできる。取出し後は、ばね体６のばね圧により次の商品Ｗ１が押出されて陳列面に再配列され、図６に示すように、横一列となって整列状態が維持される。またこれにより、残数減少に伴い販売員が商品Ｗ１を補填する頻度も減少する。
【００４１】
なお、図では、各押出しベース上５に商品Ｗ１を奥行方向に３個セットした場合を示したが、ばね体６の伸縮しろに応じて、さらに多数個セットすることも可能である。また、カバー４の背面をトレイ３の背面に結合した状態では、取付孔３２ｂに対する係合突起４２ｂの凹凸係合による固定構造を熟知している人以外は、外方からでは容易に取外すことはできないため、防盗性にも優れている。
【００４２】
次に以上の第１実施形態の変形例について、図７〜図９を用いて説明する。この変形例では、前記商品Ｗ１に比べて細幅で縦長の商品Ｗ２を陳列販売しようとするものである。  図７（ａ），（ｂ）に示すように、この商品Ｗ２を整列状態に保持する押出しベース５’およびばね体６’は商品Ｗ２の形状に応じて細幅縦長となっている以外は、同一の構造および機能を備えているので、構造の詳細は前記と同一符号を付し、その説明は省略する。また、この変形例では、多数の商品Ｗ２を陳列するため、間仕切り７は使用していないが、必要に応じて間仕切り７を各押出しベース５’間に配置することもできる。
【００４３】
そして、商品Ｗ２の高さに応じてカバー４の取付高さをトレイ３の最上位置に位置させ、従ってカバー４における上部側の係合突起４２ｂは係合凹溝３２ｃ内に嵌合し、また下部側係合突起４２ｂは係合凹溝３２ｃ直下の取付孔３２ｂに嵌合することにより、商品Ｗ２の高さに適合させている。なお、この変形例では、両側面は開いているが、カバー４の側板４０によって商品Ｗ２の頂部は覆われているので、側面から任意の商品Ｗ２を取出すことは不能であり、陳列装置１の正面前列からのみ商品Ｗ２の取出しが可能となる。
【００４４】
次に、本発明の第２実施形態を図１０〜図１２を用いて説明する。なお、本実施形態において、第１実施形態と同一箇所には同一符号を付し、新たに付加された部材にのみ新たな符号を付して説明する。
【００４５】
本実施形態は、前記商品Ｗ１を上下２段に配列して陳列販売するものであり、このために、トレイ３とカバー４間には上部トレイ８が配置される。この上部トレイ８は下部トレイ３の側板３１および背板３２上に一致すべく両者の段差に応じて上下で前後方向にややずらした形に形成された側板８０と、側板８０間の上下中間位置に一体化された棚板８１と、棚板８１および両側板８０の後端下部に一体化された下部背板８２および後端上部に一体化された上部背板８３とを備えている。
【００４６】
棚板８１の上部前縁には、トレイ３の底板３０と同じく、前記各取付ベース５および仕切板７の先端を嵌合固定する取付突条８１ａを一体に横設している。また、上部背板８３には、図１０に示すように、前記トレイ３と同じ位置に逆凸字形の左右１対の取付孔８３ａが形成され、各取付孔８３ａの直上において、上部背板８３の上縁には取付凹溝８３ｂが形成されている。この取付孔８３ａ，取付凹溝８３ｂにカバー４の背板４３に形成された係合突起４２ｂを嵌合することによって、上部トレイ４上にカバー４を固定している。
【００４７】
従って、上部トレイ８を組込んだ状態では、図１０，１１に示すように、商品Ｗ１は上下２段に亘って横列状態に陳列され、いずれも陳列装置１の正面前列からのみ商品の取出しが可能となる。
【００４８】
なお、本実施形態では上部トレイ８を商品Ｗ１の高さに応じた高さとしたが、陳列する商品種に応じた種々の高さのものを用意することによって、同一商品だけでなく、上部と下部とで異なった商品種を陳列することができる。
【図面の簡単な説明】
【００４９】
【図１】本発明の第１実施形態による商品陳列装置の全部材を示す分解斜視図である。
【図２】（ａ）〜（ｄ）は図１の円Ａ〜円Ｄ内で囲われた部分を示す部分拡大図である。
【図３】（ａ），（ｂ）は押出しベースとばね体および商品との関係を示す詳細図である。
【図４】間仕切板の斜視図である。
【図５】同陳列装置の組立状態を示す側面図である。
【図６】同正面側からみた斜視図である。
【図７】（ａ），（ｂ）は変形例に用いられる押出しベースとばね体および商品との関係を示す斜視図である。
【図８】同変形例における組立状態を示す側面図である。
【図９】同正面側からみた斜視図である。
【図１０】本発明の第２実施形態を示す分解斜視図である。
【図１１】同組立状態を示す側面図である。
【図１２】同正面側からみた斜視図である。
【符号の説明】
【００５０】
１  商品陳列装置
２  商品陳列台
３  トレイ
４  カバー
５，５’押出しベース
６，６’ばね体
６ａ  ガイド部
７  間仕切板
７ａ  仕切板片
７ｂ  狭持片
８  上部トレイ
２０  トレイ設置部
２０ａ  条溝
２１  背面支持部
２２  前面支持部
２２ａ  開口部
２３  狭持板
３０  底板
３０ａ  差込み片
３０ｂ  取付突条
３１  側板
３２  背板
３２ａ  補強リブ
３２ｂ  取付孔
３２ｃ  取付凹溝
４０    側板
４１    天板
４２    背板
４２ｂ  係合突起
５０  ガイドレール部、５０ａ  ガイド溝
５１  前部ストッパ板
５２  後部ストッパ板
５３  狭持片
８０  側板
８１  棚板
８１ａ  取付突条
８２  下部背板
８３  上部背板
８３ａ  取付孔
８３ｂ  取付凹溝
Ｗ１，Ｗ２  商品
【図１】
2010063488.tif 000003
【図２】
2010063488.tif 000004
【図３】
2010063488.tif 000005
【図４】
2010063488.tif 000006
【図５】
2010063488.tif 000007
【図６】
2010063488.tif 000008
【図７】
2010063488.tif 000009
【図８】
2010063488.tif 000010
【図９】
2010063488.tif 000011
【図１０】
2010063488.tif 000012
【図１１】
2010063488.tif 000013
【図１２】
2010063488.tif 000014